(57)【特許請求の範囲】
【請求項１】
段ボール製のトレー用ブランクから組み立てられ、天面から四面の周面にかけて四隅の柱部を残して開口するトレーと、
段ボール製の補強部用ブランクから組み立てられ、前記トレーの柱部を内側から補強する補強部と、からなり、
前記トレー用ブランクは、
交互に整列する各一対の外端板および外側板と、
前記各外端板および各外側板の同側にそれぞれ連設された外端フラップおよび外側フラップと、
前記各外端板の前記外端フラップ連設側と逆側から両端に柱片を残して平行な切れ込みが形成されることでその切れ込み間に区画される、内側の内端板および外側の内端フラップと、
前記各外側板の前記外側フラップ連設側と逆側から両端に柱片を残して平行な切れ込みが形成されることでその切れ込み間に区画される、内側の内側板および外側の内側フラップと、を備え、
組み立ての際には、
前記外端板および外側板が角筒形に折り曲げられてトレー外周面となり、かつ前記外端板の柱片および外側板の柱片がＬ字型に折り曲げられてトレー柱部となり、
前記外端フラップおよび外側フラップが重ね合わせて折り曲げられてトレー外底面となり、
前記内端板および内端フラップならびに内側板および内側フラップが、それぞれ前記トレー外周面およびトレー外底面に重なり合うように折り曲げられてトレー内周面およびトレー内底面となり、
前記補強部用ブランクは、
柱板と、
各柱板の長手方向の一端から両側方向に延びる脚板と、を備え、
組み立ての際には、
前記柱板は前記トレーの柱部をなす外端板の柱片と外側板の柱片の間に架け渡され、
前記脚板の一方は前記トレーの外周面をなす外端板と内周面をなす内端板の間に挟み込まれ、前記脚板の他方は前記トレーの外周面をなす外側板と内周面をなす内側板の間に挟み込まれて補強部はトレーに固定される、
商品の運搬と陳列に兼用可能なケース。
【請求項２】
前記トレー用ブランクの内端フラップおよび内側フラップの少なくとも一方は、その先端角隅部に矩形の切り欠き部を有し、
前記組み立ての際に、内端フラップおよび内側フラップをトレー外底面に重ね合わせると、内端フラップの先端部と内側フラップの先端部とが弾性的に嵌り合う請求項１に記載のケース。
【請求項３】
組み立てた状態で、前記補強部の柱板の上部に、前記トレーの柱部から凹む段部が形成される請求項１または２に記載のケース。
【発明の詳細な説明】
【技術分野】
【０００１】
この発明は、商品の運搬とその商品の陳列に兼用可能な段ボール製のケースに関する。
【背景技術】
【０００２】
飲料用缶などの商品を収納して運搬する段ボール製のケースとして、特許文献１のように、その直方体形のケースの天面から周面の対向する二面にかけて開口を設けたものが知られている。
このようなケースは、その開口を通じて内部の商品が視認できるため、店頭において多段に積み重ね、その商品をケースに収納されたままの状態で陳列に供することも可能である。
【０００３】
しかし、従来の運搬陳列に兼用可能なケースは、四面の周面のうち二面しか開口していないため、前後左右の四方向のうち、二方向からしか収納された商品を視認できない。具体的には、兼用ケースの前後方向からは商品が視認できるが、その左右方向からは商品が視認できないような事態が生じる。
したがって、商品を兼用ケースから取り出して陳列する場合に比べて、格段に商品の視認性が悪く、商品をケースに収納された状態でディスプレイするにあたり、改善の余地が残されている。
【０００４】
一方、このような兼用ケースについて、その天面から周面の四面すべてにかけてその四隅に柱部を残して開口する構成を採用することも想定できる。
この場合は、前後左右のいずれの方向からも商品を視認可能であるため視認性は向上するものの、兼用ケースを上下に積み重ねた際に四隅の柱部のみで上段側ケースに収納された商品の荷重を支持することになる。
そのため、強度的に不充分であり、柱部が荷重に耐え切れず座屈変形等すると、上段側ケースが落下したり、上段側ケース内の商品の荷重が下段側ケース内の商品に直接負荷されたりして、商品が破損するおそれがある。
【０００５】
ところで、この種の兼用ケースが、汎用されている包装箱用のブランクに最小限の加工工程を付け加えるだけで作製可能となれば、コスト的に非常に有利である。
【先行技術文献】
【特許文献】
【０００６】
【特許文献１】特開２００７−１５７０５号公報
【発明の概要】
【発明が解決しようとする課題】
【０００７】
そこでこの発明の解決すべき課題は、商品の運搬と陳列に兼用可能なケースについて、収納した商品の外部からの視認性を向上させつつ、その積み重ね強度も担保することである。
また、このような兼用ケースを、汎用されている包装用箱のブランクに最小限の加工を施すことで作製可能とすることである。
【課題を解決するための手段】
【０００８】
上記した課題を解決するため、発明にかかる兼用ケースとして、直方体形をなす全体の天面から四面の周面の全面にかけて四隅に柱部を残してすべて開口した構成を採用し、前後左右のいずれの方向からも収納された商品が視認可能としたのである。
また、その柱部の内側に、補強部を重ね合わせることで補強する構成を採用したのである。
さらに、そのような兼用ケースを、汎用されている包装用箱のブランクの端板および側板に切れ込みを施すだけで作製可能としたのである。
【０００９】
具体的には、発明にかかる兼用ケースは、天面から四面の周面にかけて四隅の柱部を残して開口するトレーと、トレーの柱部を内側から補強する補強部から構成される。そして、トレーは段ボール製のトレー用ブランクから組み立てられ、補強部は段ボール製の補強部用ブランクから組み立てられる。
【００１０】
ここでトレー用ブランクは、交互に整列する各一対の外端板および外側板と、各外端板および各外側板の同側にそれぞれ連設された外端フラップおよび外側フラップを備える。
またトレー用ブランクは、各外端板の外端フラップ連設側と逆側から両端に柱片を残して平行に切れ込みが形成されることで、その切れ込み間に区画される内側の内端板と外側の内端フラップを備える。
さらにトレー用ブランクは、各外側板の外側フラップ連設側と逆側から両端に柱片を残して平行に切れ込みが形成されることで、その切れ込み間に区画される内側の内側板と外側の内側フラップを備える。
【００１１】
このようなトレー用ブランクからトレーを組み立てる際には、その外端板と外側板が角筒形に折り曲げられてトレー外周面となり、同時に外端板の柱片と外側板の柱片がＬ字型に折り曲げられてトレー柱部となる。
また、外端フラップと外側フラップが、重ね合わせて折り曲げられてトレー外底面となる。
さらに、内端板と内端フラップも内側板と内側フラップも、トレー外周面およびトレー外底面に重なり合うようにＬ字型に折り曲げられて、トレー内周面およびトレー内底面となる。
【００１２】
一方、補強部用ブランクは、柱板および柱板の長手方向の一端から両側方向に延びる脚板を備える。
補強部用ブランクから補強部を組み立てる際には、柱板はトレーの柱部をなす外端板の柱片と外側板の柱片との間に架け渡される。
また、一方の脚板はトレーの外周面をなす外端板と内周面をなす内端板の間に挟み込まれて、他方の脚板はトレーの外周面をなす外側板と内周面をなす内側板の間に挟み込まれる。このようにして、補強部はトレーに固定される。
【発明の効果】
【００１３】
発明にかかる兼用ケースを以上のように構成したので、周面が四面いずれも開口しており、前後左右のいずれの方向からも収納した商品を視認可能となるため、視認性が改善される。
【００１４】
また兼用ケースのトレーの四隅にある柱部は、補強部により内側から補強されているため、ケースを上下に積み重ねた際にも下段側ケースが上段側ケースに収納された商品の重量を支持するのに十分な強度が担保される。
【００１５】
さらに兼用ケース作製の際には、汎用されている包装箱用ブランク、すなわち交互に整列する一対の端板および側板と、これらの同側にそれぞれ連設する端フラップおよび側フラップと、からなるものの、端板および側板に切れ込みを入れるだけであるから簡易であり、製造コストを抑えることができる。
【図面の簡単な説明】
【００１６】
【図１】第１実施形態の兼用ケースの斜視図
【図２】（ａ）は第１実施形態の兼用ケースの平面図、（ｂ）は（ａ）のｂ−ｂ線に沿った断面図、（ｃ）は（ａ）のｃ−ｃ線に沿った断面図
【図３】第１実施形態の兼用ケースを積み重ねた状態を示す斜視図
【図４】第１実施形態の兼用ケースの（ａ）はトレー用ブランクの平面図、（ｂ）は補強部用ブランクの平面図
【図５】第１実施形態の兼用ケースの組み立て作業の概要を示す斜視図
【図６】第２実施形態の兼用ケースの斜視図
【図７】第２実施形態の兼用ケースを積み重ねた状態を示す斜視図
【図８】積み重ねた第２実施形態の兼用ケースの（ａ）は全体縦断面図、（ｂ）は要部拡大縦断面図
【発明を実施するための形態】
【００１７】
以下、図面を参照しつつ、この発明の実施形態について説明する。
【００１８】
図１および図２に示す第１実施形態の兼用ケース１は、飲料用缶などの商品Ｃを収納してそれを運搬するのと、商品を収納状態のまま店頭で陳列するのに兼用される。
図示のように、兼用ケース１は、トレー１０と補強部２０とからなる。
【００１９】
トレー１０は、全体が略直方体形をなしており、その天面、四面の周面、底面のうち、天面の全面が開口し、四面の周面はいずれもその角隅の柱部および底面に近接する下縁部を残して開口している。また、その底面の全面が閉塞されている。
補強部２０は、トレー１０の平面視Ｌ字型に屈曲する柱部の内側に架け渡され、全体として三角柱形構造となることで、柱部を補強している。
【００２０】
図３のように、兼用ケース１は複数を上下に積み重ねかつ前後左右に並列させ、適宜蓋Ｌを被せるなどしてまとめた状態で、陳列や運搬の用に供される。
店頭での陳列の際には、兼用ケース１はトレー１０の四面の周面のほぼ全面が開口２になっているため、前後左右いずれの方向からもその開口２を通じて収納された商品のほぼ全体を識別することができる。したがって、兼用ケース１から商品を取り出して陳列した場合と、遜色ない程度の視認性が確保されている。
また兼用ケース１は、上下に積み重ねられた際に、上側兼用ケース１の荷重を下側兼用ケース１のトレー１０の柱部のみで支持することになるが、柱部は補強部２０とで三角柱形構造になって耐荷重強度が向上しているため、その損傷などが防がれている。
【００２１】
兼用ケース１のトレー１０は、図４（ａ）に示すような、段ボールシートを打ち抜いて作製されるトレー用ブランク１０から組み立てられ、また補強部２０は、図４（ｂ）に示すような、段ボールシートを打ち抜いて作製される補強部用ブランク２０から組み立てられる。
なお、ここでいう段ボールには、紙製のもののみならず、ブラスチック製のもの（いわゆるプラスチック段ボール）など、あらゆる素材のものが含まれるものとする。
【００２２】
図４（ａ）のように、トレー用ブランク１０は、各一対の外端板１１および外側板１２を備える。外端板１１と外側板１２とは交互にかつ単列に整列して罫線を介して連設されている。
ここで、外端板１１および外側板１２はそれぞれ略矩形であり、かつ整列方向への長さは、外端板１１より外側板１２のほうが大きく、整列方向に直交する方向への長さは、ほぼ等しくなっている。外端板１１と外側板１２の境界は、罫線により折り曲げ容易となっている。
【００２３】
またトレー用ブランク１０の各外端板１１の一側には、それぞれ略矩形の外端フラップ１３が罫線を介して連設されており、各外側板１２の一側には、それぞれ略矩形の外側フラップ１４が罫線を介して連設されている。
【００２４】
外端フラップ１３と外側フラップ１４は、外端板１１と外側板１２の整列方向に対して同じ側に連設されている。また外端フラップ１３および外側フラップ１４の境界と、外端板１１および外側板１２の境界は、それぞれ罫線により折り曲げ容易となっている。
ここで外端フラップ１３と外側フラップ１４は、外端板１１と外側板１２の整列方向に直交する方向への長さが、ほぼ等しくなっており、かつその長さは、外端板１１の前記整列方向への長さの約半分となっている。
なお、隣り合う外端フラップ１３と外側フラップ１４の間は接続されることなく（切れ込みが介在して）、互いに独立している。
【００２５】
さらにトレー用ブランク１０の、各外端板１１の外端フラップ連設側と逆側には、外端板１１と外側板１２の整列方向に並列する平行な切れ込みが形成されている。
各外端板１１の両切れ込みは、この整列方向に対して直交する方向に外縁から内部へと延び、外端フラップ１３までに至らずに終端している。
この切れ込みにより、各外端板１１の外端板と外側板の整列方向の両端部（切れ込みの外側）には、短冊形の柱片１１ａが形成されている。
【００２６】
また、各外端板１１の並列する切れ込みの間（切れ込みの内側）は、矩形に区画されて、さらにそれが外端板１１と外側板１２の整列方向と直交する方向に、罫線を介して並列する内側の内端板１５と外側の内端フラップ１６に区画されている。
ここで内端板１５の幅（外端板１１と外側板１２の整列方向と直交する方向の長さ）は、柱片１１ａを除いた外端板１１の幅（同）とほぼ等しくなっている。
【００２７】
矩形の内端板１５は、その外端板１１との連設部分が近接して並列する罫線により帯形のマチ部１５ａに形成されている。このマチ部１５ａの幅は、ブランクをなす段ボールの厚みと、ほぼ等しいかやや大きくなっている。
また、矩形の内端フラップ１６は、その先端両角隅が矩形に切り欠かれて、切り欠き部１６ａが形成されている。
外端板１１と内端板１５の境界、および内端板１５と内端フラップ１６の境界は、罫線により折り曲げ容易となっている。
【００２８】
同様にトレー用ブランク１０の、各外側板１２の外側フラップ連設側と逆側には、外端板１１と外側板１２の整列方向に並列する平行な切れ込みが形成されている。
各外側板１２の両切れ込みは、この整列方向に対して直交する方向に外縁から内部へと延び、外側フラップ１４までに至らずに終端している。
この切れ込みにより、各外側板１２の外端板１１と外側板１２の整列方向の両端部（切れ込みの外側）には、短冊形の柱片１２ａが形成されている。
【００２９】
また、各外側板１２の並列する切れ込みの間（切れ込みの内側）は、矩形に区画されて、さらにそれが外端板１１と外側板１２の整列方向と直交する方向に、罫線を介して並列する内側の内側板１７と外側の内側フラップ１８に区画されている。
ここで内側板１７の幅（外端板１１と外側板１２の整列方向と直交する方向の長さ）は、柱片１２ａを除いた外側板１２の幅（同）とほぼ等しくなっている。
【００３０】
矩形の内側板１７は、その外側板１２との連設部分が近接して並列する罫線により帯形のマチ部１７ａに形成されている。このマチ部１７ａの幅は、内端板１５のマチ部１５ａの幅とほぼ等しくなっている。
外側板１２と内側板１７の境界、および内側板１７と内側フラップ１８の境界は、罫線により折り曲げ容易となっている。
【００３１】
内端フラップ１６と内側フラップ１８の寸法については、一対の内側フラップ１８の幅（外端板１１と外側板１２の整列方向と直交する方向の長さ）と一つの内端フラップ１６の切り欠き部１６ａを除いた外端板１１と外側板１２の整列方向の長さの合計が、外端板１１の外端板１１と外側板１２の整列方向の長さとほぼ等しくなっている。
また、一対の内端フラップ１６の切り欠き部１６ａを除いた幅（外端板１１と外側板１２の整列方向と直交する方向の長さ）と一つの内側フラップ１８の外端板１１と外側板１２の整列方向の長さの合計が、外側板１２の外端板１１と外側板１２の整列方向の長さとほぼ等しくなっている。
【００３２】
さらに、外端板と外側板の整列方向の端部に位置する外側板１２には、罫線を介して継代１９が連設されており、外側板１２と継代１９の境界は折り曲げ容易となっている。
【００３３】
このようなトレー用ブランク１０は、罫線を介して交互に連設される各一対の端板および側板と、これら端板および側板の同側に罫線を介してそれぞれ独立して連設される端フラップ及び側フラップと、からなる汎用されている包装箱用ブランクより作製される。
かかる包装箱用ブランクは、組立時には端板および側板を角筒形に折り曲げて周面とし、端フラップおよび側フラップを重ね合わせて閉塞した底面とし、天面が開口するものである。
【００３４】
この包装箱用ブランクに、その端板に前記平行な切れ込みを加工して内端板１５および内端フラップ１６を区画し、その側板に前記平行な切れ込みを加工して内側板１７および内側フラップ１８を区画する。さらに、内端フラップ１６の切り欠き部１６ａ形成のために、一部を切り落とすことにより、トレー用ブランク１０が作製される。
【００３５】
一方、図４（ｂ）のように、補強部用ブランク２０は、柱板２１と脚板２２、２３とから構成される。略矩形の柱板２１は、その長手方向と直交する向きに並列しており、両柱板２１の長手方向の一端には、その並列方向両側に延びる脚板２２、２３が連設されている。ここで、両柱板２１間に延びる脚板２２同士は連結されている。
【００３６】
また柱板２１は、その長手方向に並列して罫線が入れられ、これにより三面をなすように折り曲げ可能となっている。
柱板２１の長手方向の長さは、トレー用ブランク１０の外端板１１および外側板１２の前記整列方向と直交する向きの長さとほぼ等しく、柱板２１間の距離は、トレー用ブランク１０の外端板１１の前記整列方向の長さとほぼ等しいかやや小さくなっている。
【００３７】
ブランク１０、２０の構成は以上のようであり、これらから兼用ケース１を組み立てる際には、図５（ａ）のように、まずトレー用ブランク１０の外端板１１および外側板１２を罫線で角筒形に折り曲げて継代１９で接着し、トレー外周面を形成する。これと同時に、外端板１１の柱片１１ａと外側板１２の柱片１２ａは互いに直角をなすようにＬ字型に折り曲げられてトレー柱部を形成する。
【００３８】
次に図５（ｂ）のように、トレー用ブランク１０の外端フラップ１３および外側フラップ１４をこの順に重ね合わせてステープル等で結合し、トレー外底面を形成する。
上述した寸法関係により、対向する外端フラップ１３の先端同士は離れているが、対向する外側フラップ１４の先端同士が突き合うため、トレー外底面は全面が閉塞されることになる。
【００３９】
さらに図５（ｂ）のように、一対の補強部用ブランク２０を、その脚板２２と脚板２３がほぼ直角をなすように、かつその柱板２１が三面をなすように、柱板２１の罫線で折り曲げる。
この状態で、各柱板２１がトレー用ブランク１０の外端板１１の柱片１１ａと外側板１２の柱片１２ａの間に架け渡されるように、すなわち柱片１１ａ、１２ａと柱板２１が合わさって三角柱形となるように、トレー１０の全面が開口する天面より、内部へと挿入する。
【００４０】
次にトレー用ブランク１０の内端板１５および内側板１７を、それぞれトレー外周面をなす外端板１１および外側板１２の内側に重なり合うように罫線で折り曲げて、トレー内周面を形成する。
内端板１５および内側板１７は、段ボールの厚み分に相当するマチ部１５ａ、１７ａを有し、かつ外端板１１および外側板１２と幅が等しいため、外端板１１および外側板１２から浮き上がらないように、これらに重ね合わせることができる。
【００４１】
同時に内端フラップ１６および内側フラップ１８を、それぞれトレー外底面をなす外端フラップ１３および外側フラップ１４の内側に重なり合うように折り曲げて、トレー内底面を形成する。
【００４２】
このようにして、図１のような兼用ケース１が完成する。
このとき、図２（ａ）のように、トレー１０の内端フラップ１６と内側フラップ１８とは、上述した寸法関係から、内端フラップ１６の切り欠き部１６ａに内側フラップ１８の先端角隅部が弾性的にかつ過不足なくはまり込む。
このため、内端フラップ１６と内側フラップ１８はトレーの外底面から浮き上がらないようにきれいに重ね合わせることができる。また、内端フラップ１６と内側フラップ１８とが弾性的にはまり合うことで、トレー１０がブランクの状態へと段ボールの弾性で復元しないように、しっかりと固定される。
【００４３】
また、図２（ｂ）および（ｃ）のように、補強部２０は、その両脚板２２、２３がトレーの外周面（外端板１１および外側板１２）と内周面（内端板１５および内側板１７）の間にそれぞれ挟みこまれることになる。このため、補強部２０は、トレー１０から外れないようにしっかりと固定される。
【００４４】
図６に、第２実施形態の兼用ケース１を示す。ここでは、トレー用ブランク１０の外端板１１および外側板１２の柱片１１ａ、１２ａの高さ（整列方向と直交する向きの長さ）が、補強部用ブランク２０の柱板２１の高さ（長手方向の長さ）よりも大きくなるように、寸法が設定されている。
そのため、組み立てられたトレー１０の柱部が補強部２０の柱板２１より高く、そのため柱板２１の上部は柱部より凹んで段部２１ａとなっている。
【００４５】
ここでトレー１０は段ボール製であって弾性変形可能であるため、図７および図８のように、兼用ケース１を上下に積み重ねた際に、上側のトレー１０を下側のトレー１０の開口に押し込み可能である。このようにすると、上側のトレー１０が下側のトレー１０の柱板２１の段部２１ａにはまり込んでずれ動かないように位置決めされた状態で、支持されることになる。
したがって、兼用ケース１の運搬中などに荷崩れ等するのが一層防止されることになる。
【００４６】
図示のように、積み重ねた最上段の兼用ケース１の各段部２１ａには、厚みが段部の深さとほぼ等しい段ボール製の矩形の天板３０の四隅をはめ込む。
すると、最上段の兼用ケース１の天面が、天板３０によってほぼ面一になって、その上に他種商品等を載置するのに好適となる。
【００４７】
上記各実施形態では、トレー用ブランク１０について、その切り欠き部１６ａを各内端フラップ１６の先端両角隅に設けたが、切り欠き部は、各内側フラップ１８の先端両角隅に設けてもよい。
また、各内端フラップ１６および各内側フラップ１８の先端角隅の片側同側にだけそれぞれ設けてもよい。
要するに、内端フラップ１６および内側フラップ１８をトレー１０の外底面上に重ねあわせた際に、弾性的に嵌り合うように先端部を補完形状に形成しさえすればよい。
【００４８】
上記各実施形態では、補強部用ブランク２０について、柱板２１が並列しその間の脚板２２が連結する構成のものを２つ用いたが、単一の柱板２１とその長手方向の一端の両側から脚板２３が張り出すＴ字型の補強部用ブランクを４つ用いてもよい。
要するに、柱板２１がトレー１０の柱部に重ね合わされ、脚板２３がトレー１０の内周面と外周面に挟み込まれて固定されればよい。
また実施形態では柱板２１を三面に折り曲げ可能としているが、トレー１０の柱部とで四角柱のような多角柱構造が形成されるように、多面に折り曲げ可能でありさえすればよい。
【００４９】
このように上記各実施形態は例示であって、これに発明の範囲は限定されない。この発明の範囲は特許請求の範囲の記載に基づいて定められ、特許請求の範囲に示された内容を限度として、実施形態についてのあらゆる変更が可能であり、その変更可能な形態も当然にこの発明に包含されるものとする。
【符号の説明】
【００５０】
１  運搬陳列兼用ケース
２  開口
１０  トレー（トレー用ブランク）
１１  外端板
１１ａ  柱片
１２  外側板
１２ａ  柱片
１３  外端フラップ
１４  外側フラップ
１５  内端板
１５ａ  マチ部
１６  内端フラップ
１６ａ  切り欠き部
１７  内側板
１７ａ  マチ部
１８  内側フラップ
１９  継代
２０  補強部（補強部用ブランク）
２１  柱板
２１ａ  段部
２２、２３  脚板
３０  天板
Ｃ  商品（飲料用缶）
Ｌ  蓋
【図１】
0005554697.tif 000002
【図２】
0005554697.tif 000003
【図３】
0005554697.tif 000004
【図４】
0005554697.tif 000005
【図５】
0005554697.tif 000006
【図６】
0005554697.tif 000007
【図７】
0005554697.tif 000008
【図８】
0005554697.tif 000009